(57)【要約】【課題】大きさを小さくすることなく、物品に貼着後に剥離した場合、物品の外観が悪くなることがなく、かつ物品を傷つきにくくする。【解決手段】一方の面に粘着剤３０が塗布されたラベル片１０と、ラベル片１０の粘着剤３０が塗布された面に剥離可能に貼着された剥離台紙２０とを有し、剥離台紙２０は、スリット２３及びミシン目２４，２６によって分離可能に区画形成された管理票２２を有する。【選択図】図１
2010085576.tif 000002
【特許請求の範囲】
【請求項１】
一方の面に粘着層が設けられたラベル片と、前記ラベル片の前記粘着層が設けられた面に剥離可能に貼着された剥離台紙とを有し、前記ラベル片が前記剥離台紙から剥離されて前記粘着層によって物品に貼着されるラベルにおいて、
前記剥離台紙は、第１の切り離し線によって分離可能に区画形成された第１の分離部を有することを特徴とするラベル。
【請求項２】
請求項１に記載のラベルにおいて、
前記ラベル片は、前記第１の分離部に対向する領域に第２の切り離し線によって分離可能に区画形成された第２の分離部を有し、
前記粘着層は、前記第２の分離部を除いた領域に設けられ、
前記第１の分離部は、周縁部の少なくとも一部が前記粘着層に対向して配置され、
前記第１の切り離し線は、Ｖ字部とＩ字部とからなるＹ字状のカット部が、前記剥離台紙を前記ラベル片から剥離する際の剥離開始部側が前記Ｖ字部となって前記剥離開始部から前記剥離台紙の剥離方向に連続してなるミシン目を具備するラベル。
【発明の詳細な説明】
【技術分野】
【０００１】
本発明は、剥離台紙から剥離されて物品に貼着されるラベル片を有するラベルに関する。
【背景技術】
【０００２】
従来より、物流管理や工程管理において、剥離可能なラベルが用いられている。例えば、工程管理においては、品名やコード、製造年月日等の情報が記入されたラベルが製品に貼着され、このラベルに記入された情報を用いて製品の生産から出荷までの工程が管理されている。製品に貼着されたラベルは、工程管理に用いるものであるため、製品の出荷時に製品から剥離されることになるが、ラベルが製品に強固に貼着されていると、製品からラベルが剥離される際、製品が傷ついてしまう虞れがある。特に、ラベルが段ボール等の紙製の箱に貼着されている場合、ラベルが貼着されていた領域が破れてしまう虞れがある。
【０００３】
そこで、製品等の物品に貼着後の剥離が可能な擬似接着シートが考えられ、例えば、特許文献１に開示されている。特許文献１に開示された技術は、表示基材に熱可塑性樹脂を積層し、この熱可塑性樹脂側に粘着剤層を積層し、粘着剤層によって物品に貼着後に剥離すると、表示基材と熱可塑性樹脂との間で剥離することにより、表示基材を物品から分離可能としたものである。
【特許文献１】特開平１１−２５６１１２号公報
【発明の開示】
【発明が解決しようとする課題】
【０００４】
しかしながら、上述したような擬似接着シートにおいては、物品に貼着後に物品を傷つかせずに物品から剥離することができるものの、粘着剤層を含む一部が物品側に残ってしまい、物品の外観が悪くなってしまうという問題点がある。
【０００５】
そこで、物品に対する貼着面積を小さくするためにラベル自体の大きさを小さくすることが考えられるが、ラベル自体の大きさが小さいと、ラベルに表示できる情報量が少なくなり、ラベルを用いた物品管理がしにくくなってしまうという問題が生じてしまう。
【０００６】
本発明は、上述したような従来の技術が有する問題点に鑑みてなされたものであって、その大きさを小さくすることなく、物品に貼着後に剥離した場合、物品の外観が悪くなることがなく、かつ物品を傷つきにくくすることができるラベルを提供することを目的とする。
【課題を解決するための手段】
【０００７】
上記目的を達成するために本発明は、
一方の面に粘着層が設けられたラベル片と、前記ラベル片の前記粘着層が設けられた面に剥離可能に貼着された剥離台紙とを有し、前記ラベル片が前記剥離台紙から剥離されて前記粘着層によって物品に貼着されるラベルにおいて、
前記剥離台紙は、第１の切り離し線によって分離可能に区画形成された第１の分離部を有することを特徴とする。
【０００８】
上記のように構成された本発明においては、物品に貼着するために剥離台紙をラベル片から剥離すると、剥離台紙に区画形成された第１の分離部が第１の切り離し線によって剥離台紙から分離してラベル片に貼着されたままの状態となる。この状態で、ラベル片の一方の面に設けられた粘着層によって物品に貼着すると、第１の分離部がラベル片に貼着された領域においては、粘着層が表出しておらず、物品に貼着されていないことになる。そのため、物品には、ラベル片の一部のみにて貼着されていることとなり、貼着後に剥離する場合、その一部のみを剥離することとなり、それにより、物品が傷つきにくく、かつ、物品の外観が悪くなることがない。
【０００９】
また、ラベル片が、第１の分離部に対向する領域に第２の切り離し線によって分離可能に区画形成された第２の分離部を有し、粘着層が第２の分離部を除いた領域に設けられ、第１の分離部が、周縁部の少なくとも一部が粘着層に対向して配置され、第１の切り離し線が、Ｖ字部とＩ字部とからなるＹ字状のカット部が、剥離台紙をラベル片から剥離する際の剥離開始部側がＶ字部となって剥離開始部から剥離台紙の剥離方向に連続してなるミシン目を具備する構成とすれば、剥離台紙をラベル片から剥離していくと、第１の分離部が切り離し線から逸れることなく剥離台紙から分離することになり、また、第２の分離部をラベル片から分離することにより、ラベル片が物品に貼着された状態で第１の分離部が表出する。
【発明の効果】
【００１０】
以上説明したように本発明においては、一方の面に粘着層が設けられたラベル片と、ラベル片の粘着層が設けられた面に剥離可能に貼着された剥離台紙とを有し、剥離台紙が、第１の切り離し線によって分離可能に区画形成された第１の分離部を有する構成としたため、剥離台紙をラベル片から剥離して物品に貼着すると、物品には、ラベル片の一部のみにて貼着されていることとなり、貼着後に剥離する場合、その一部のみを剥離することとなり、それにより、その大きさを小さくすることなく、物品に貼着後に剥離した場合、物品の外観が悪くなることがなく、かつ物品を傷つきにくくすることができる。
【００１１】
また、ラベル片が、第１の分離部に対向する領域に第２の切り離し線によって分離可能に区画形成された第２の分離部を有し、粘着層が第２の分離部を除いた領域に設けられ、第１の分離部が、周縁部の一部が粘着層に対向して配置され、第１の切り離し線が、Ｖ字部とＩ字部とからなるＹ字状のカット部が、剥離台紙をラベル片から剥離する際の剥離開始部側がＶ字部となって剥離開始部から剥離台紙の剥離方向に連続してなるミシン目を具備するものにおいては、剥離台紙をラベル片から剥離していく際、分離部が切り離し線から逸れることなく剥離台紙から分離することになり、また、第２の分離部をラベル片から分離することにより、ラベル片が物品に貼着された状態で第１の分離部を表出させることができる。
【発明を実施するための最良の形態】
【００１２】
以下に、本発明の実施の形態について図面を参照して説明する。
【００１３】
図１は、本発明のラベルの実施の一形態を示す図であり、（ａ）は表面から見た図、（ｂ）は（ａ）に示したＡ−Ａ’断面図、（ｃ）はラベル片１０の裏面の構成を示す図、（ｄ）は剥離台紙２０のラベル片１０との貼着面の構成を示す図、（ｅ）は剥離台紙２０のラベル片１０との貼着面とは反対側の面の構成を示す図、（ｆ）は（ａ）に示したＢ−Ｂ’断面図である。
【００１４】
本形態は図１に示すように、互いに同一形状を有するラベル片１０と剥離台紙２０とが、ラベル片１０の裏面に粘着剤３０が塗布されることにより設けられた粘着層によって貼着されて構成されている。
【００１５】
ラベル片１０は、このラベルが貼着される製品の品名、コード、製造年月日が記入あるいは印字される製品情報表示領域１３が設けられた第２の分離部である管理票１１を有し、管理票１１は、第２の切り離し線であるミシン目１２によってラベル片１０から分離可能に区画形成されている。また、管理票１１の角部には、切り込み１４が形成されており、この切り込み１４が、管理票１１をラベル片１０から分離する際に摘み代となっている。ラベル片１０の裏面には、管理票１１を除いた領域に粘着剤３０が塗布されている。
【００１６】
剥離台紙２０は、管理票１１に対向する領域に第１の分離部である管理票２２を有し、管理票２２の周囲に形成された第１の切り離し線であるスリット２３及びミシン目２６によって管理票２２が剥離台紙２０から分離可能に区画形成されている。このミシン目２６は、Ｙ字状のカット部が管理票２２の長手方向に連続して形成されている。そして、管理票２２の長手方向の長さは管理票１１よりも長く、管理票２２のそれに直交する方向の長さは管理票１１よりも短くなっている。管理票２２のラベル片１０との貼着面には通知情報２５が印字されている。また、管理票２２の他方の面には、このラベルが貼着される製品の品名、コード、製造年月日が記入あるいは印字される製品情報表示領域２７が設けられている。さらに、管理票２２は、長手方向における両端部に切り離し線となるミシン目２４が形成されている。このミシン目２４が形成された領域は、管理票１１に対向する領域あるいはラベル片１０のミシン目１２に重なる領域となっており、それにより、管理票２２のうち、管理票１１に対向しない領域、すなわち、粘着剤３０に対向する領域を管理票２２から切り離すことが可能となっている。また、剥離台紙２０のラベル片１０との貼着面のうち、管理票２２以外の領域には剥離剤２１が塗布されており、それにより、この領域においては、ラベル片１０と剥離台紙２０とが剥離可能に貼着される。このような構成とすることにより、管理票２２は、管理票１１に対向する領域に設けられ、一部となる長手方向における両端部のみが粘着剤３０に対向している。なお、上述したように、管理票２２の周縁部のうち、粘着剤３０に対向しない部分のみをミシン目２６とすることにより、ラベル片１０と剥離台紙２０とが貼着された状態において、この領域が浮いてしまい、ラベル片１０と剥離台紙２０との間に異物が入ってしまったり、指等がひっかかって剥離台紙２０が破れてしまったり、製品情報を印字する際にプリンタにて搬送不良が生じたりすることを回避できる。また、スリット２３の代わりに、一部タイ付きのスリットを用いてもよい。
【００１７】
以下に、上記のように構成されたラベルを製品の工程管理に用いる場合の使用方法について説明する。
【００１８】
図２は、図１に示したラベルを製品の生産／出荷工程管理に用いる場合の使用方法を説明するための図である。
【００１９】
図１に示したラベルを製品の生産／出荷工程管理に用いる場合は、まず、ラベル片１０及び剥離台紙２０にそれぞれ設けられた製品情報表示領域１３，２７に、このラベルが貼着される製品の品名、コード、製造年月日からなる製品情報１３ａ，２７ａがそれぞれ記入あるいは印字される。
【００２０】
そして、ラベル片１０を製品に貼着するためにラベル片１０から剥離台紙２０を剥離する。ラベル片１０と剥離台紙２０とは、上述したようにラベル片１０の裏面に塗布された粘着剤３０によって貼着されているものの、剥離台紙２０の管理票２２を除く領域に剥離剤２１が塗布されているため、容易に剥離することができる。剥離台紙２０をその端部から剥離していくと、管理票２２の周囲のうち長手方向における端部にはスリット２３が形成されているため、このスリット２３によって管理票２２が剥離台紙２０から分離しはじめ、その後、管理票２２の周囲に形成されたミシン目２６が破断していくことにより、管理票２２が剥離台紙２０から分離していき、管理票２２がラベル片１０に貼着されたまま残る（図２（ａ））。ここで、上述したように管理票２２を剥離台紙２０から分離するためには、管理票２２の剥離台紙２０からの分離のきっかけにスリット２３を利用することになるため、剥離台紙２０をラベル片１１０から剥離していく方向をスリット２３が形成された端部側からとする必要がある。そのため、例えば、剥離台紙２０の裏面に、後述する剥離開始部を示す情報を印字しておくことが好ましい。また、管理票２２の長手方向における両端部が粘着剤３０に対向しているため、管理票２２はこの領域にてラベル片１０に貼着されることにより保持される。また、剥離台紙２０の管理票２２には剥離剤２１が塗布されていないため、この領域においては剥離容易な構成となっておらず、管理票２２が剥離台紙２０の他の領域とともにラベル片１０から剥離しにくくなっている。
【００２１】
ここで、ミシン目２６が、Ｙ字状のカット部が管理票２２の長手方向に連続して形成されたものであることによる効果について説明する。
【００２２】
図３は、図１に示したラベルにおいて、剥離台紙２０に形成されたミシン目２６が、Ｙ字状のカット部が管理票２２の長手方向に連続して形成されたものであることによる効果を説明するための図であり、（ａ）は剥離台紙２０をラベル片１０から剥離しはじめた状態を示す図、（ｂ）は剥離台紙２０をラベル片１０から剥離してミシン目２６が破断していく状態を示す図である。
【００２３】
図３（ａ）に示すように、剥離台紙２０に形成されたミシン目２６は、Ｉ字部を構成する１つの長辺部２６ｂとＶ字部を構成する２つの短辺部２６ｃとからなるＹ字状のカット部２６ａが、管理票２２の長手方向に連続して形成されている。剥離台紙２０をラベル片１０から剥離する場合、剥離台紙２０の長手方向の一端の角部を剥離開始部２８とし、剥離台紙２０及び管理票２２の長手方向に剥離台紙２０を剥離していく。すなわち、ミシン目２６を構成するＹ字状のカット部２６ａは、剥離開始部２８から剥離台紙２０の剥離方向に連続して形成されていることになる。また、Ｙ字状のカット部２６ａは、剥離開始部２８側がＶ字部を構成する短辺部２６ｃとなるような向きで形成されている。なお、図３に示したものにおいては、剥離台紙２０の長手方向の一端の角部を剥離開始部２８としているが、剥離開始部は、剥離台紙２０の長手方向に直交する辺のうち、図３に示した剥離開始部２８を含む辺上の全ての領域を含むものとする。
【００２４】
剥離台紙２０をラベル片１０から剥離していくと、Ｙ字状のカット部２６ａが連続してなるミシン目２６が破断していく。この際、カット部２６ａがＹ字状であるため、破断部分が長辺部２６ｂの短辺部２６ｃとは反対側の端部に達した後に、剥離台紙２０の破断方向がカット部２６ａが連続する方向からずれる方向となった場合であっても、図３（ｂ）に示すように、破断方向には隣接するカット部２６ａの短辺部２６ｃが存在し、それにより、カット部２６ａが繋がってミシン目２６が破断されていくことになる。
【００２５】
このように、剥離台紙２０に形成されたミシン目２６が、Ｙ字状のカット部２６ａが、剥離台紙２０をラベル片１０から剥離する際の剥離開始部２８から剥離台紙２０の剥離方向に連続してなるものであるため、剥離台紙２０をラベル片１０から剥離していく際、管理票２２がミシン目２６から逸れることなく剥離台紙２０から分離することになる。
【００２６】
剥離台紙２０の管理票２２を除く領域をラベル片１０から剥離すると、ラベル片１０の裏面に塗布された粘着剤３０が表出し（図２（ｂ））、この粘着剤３０を用いてラベル片１０を製品４０に貼着する（図２（ｃ））。
【００２７】
ラベル片１０が貼着された製品４０は、生産／出荷工程に送られていく。
【００２８】
製品の生産／出荷工程のうち、特定の工程が完了すると、管理票１１の切り込み１４を摘み代としてミシン目１２が破断されていき、管理票１１がラベル片１０から分離される（図２（ｄ））。ラベル片１０から分離した管理票１１の製品情報表示領域１３には、このラベル片１０が貼着された製品の品名、コード、製造年月日からなる製品情報１３ａが記入あるいは印字されているため、この管理票１１が回収されることにより、製品情報１３ａによって特定される製品について特定の工程が完了した旨が管理されることになる。
【００２９】
管理票１１がラベル片１０から分離すると、ラベル片１０に貼着されている管理票２２が、管理票１１が分離された領域にて表出し、管理票２２のラベル片１０との貼着面に印字された通知情報２５が視認可能な状態となる（図２（ｅ））。なお、この通知情報２５としては、次の工程を示す情報や、その後の特定の工程が完了した場合に管理票２２をこのラベルから分離する旨を示す情報等が考えられる。
【００３０】
そして、その後の特定の工程が完了すると、管理票２２のミシン目２４を破断することにより、管理票２２の粘着剤３０に対向している領域が切り離されて管理票２２が取り出される（図２（ｆ））。取り出された管理票２２の製品情報表示領域２７には、このラベル片１０が貼着された製品の品名、コード、製造年月日からなる製品情報２７ａが記入あるいは印字されているため、この管理票２２が回収されることにより、製品情報２７ａによって特定される製品について特定の工程が完了した旨が管理されることになる。
【００３１】
その後、製品４０を出荷する際に、ラベル片１０が製品４０から剥離され（図２（ｇ））、製品４０に出荷用の新たなラベルが貼着され、製品４０が出荷されていく。この際、ラベル片１０は、管理票１１を除く部分に塗布された粘着剤３０のみによって製品４０に貼着されているため、ラベル片１０の大きさが大きな場合であっても、ラベル片１０と製品４０との貼着面積は小さなものとなり、それにより、ラベル片１０を製品４０から剥離した際、製品が傷つきにくく、かつ、製品の外観が悪くなることがない。
【００３２】
なお、本形態においては、ラベル片１０の管理票１１を除く領域のみに粘着剤３０が塗布されることにより、ラベル片１０を製品４０に貼着後、剥離を容易にしているが、ラベル片１０の剥離台紙２０との貼着面の全面に粘着剤３０を塗布した場合であっても、ラベル片１０が製品４０に貼着された際、剥離台紙２０の一部である管理票２２がラベル片１０に貼着されたままの状態となるため、ラベル片１０の製品４０との貼着面積が小さくなり、それにより、ラベル片１０を製品４０から容易に剥離することができる。
【００３３】
また、本発明で言う分離部の周縁部の一部とは、管理票２２の全周のうち、少なくとも１辺を含まないもの、すなわち、１辺のみが粘着層に対向するもの、２辺が粘着層に対向するもの、３辺が粘着層に対向するものを言う。
【図面の簡単な説明】
【００３４】
【図１】本発明のラベルの実施の一形態を示す図であり、（ａ）は表面から見た図、（ｂ）は（ａ）に示したＡ−Ａ’断面図、（ｃ）はラベル片の裏面の構成を示す図、（ｄ）は剥離台紙のラベル片との貼着面の構成を示す図、（ｅ）は剥離台紙のラベル片との貼着面とは反対側の面の構成を示す図、（ｆ）は（ａ）に示したＢ−Ｂ’断面図である。
【図２】図１に示したラベルを製品の生産／出荷工程管理に用いる場合の使用方法を説明するための図である。
【図３】図１に示したラベルにおいて、剥離台紙に形成されたミシン目が、Ｙ字状のカット部が管理票の長手方向に連続して形成されたものであることによる効果を説明するための図であり、（ａ）は剥離台紙をラベル片から剥離しはじめた状態を示す図、（ｂ）は剥離台紙をラベル片から剥離してミシン目が破断していく状態を示す図である。
【符号の説明】
【００３５】
１０    ラベル片
１１，２２    管理票
１２，２４，２６    ミシン目
１３，２７    製品情報表示領域
１３ａ，２７ａ    製品情報
１４    切り込み
２０  剥離台紙
２１    剥離剤
２３    スリット
２５    通知情報
２８    剥離開始部
３０    粘着剤
４０    製品
【図１】
2010085576.tif 000003
【図２】
2010085576.tif 000004
【図３】
2010085576.tif 000005